(57)【要約】【課題】手で持ちやすい形状で、なおかつ、樹脂成形により大量生産が可能との制約条件の中で、表向きでも、裏向きでも、どちらでも丼などの縁に引っ掛けておけるレンゲスプーンが求められている。【解決手段】右手に持ったレンゲスプーンを手前から見た状態で、以下の様に構成する。  １，食物をすくう為の凹部の右側直近の位置に、上向きの突起を設ける。  ２，上向きの突起の右側直近の位置に、下向きの突起を設ける。  ３，上向きの突起と、左側の突起の左側の壁は、スープの液面に対して、左右に８０度以内の傾斜角度を設ける。  ４，レンゲスプーン全体の肉厚を、略一定とし、樹脂にて一体成形する。【選択図】図１
2009268878.tif 000002
【特許請求の範囲】
【請求項１】
主として、中華料理などを食べる時に使用するレンゲスプーンであって、右手にレンゲスプーンを持ち、スープ等の液体を最大容量すくって保持した状態の、手前からの側面視において、以下の様に構成されている事を特徴とする、レンゲスプーン。
Ａ，食物をすくう為の凹部１の、右側直近の位置に、上向きの突起３を設ける。
Ｂ，上向きの突起３の左側の壁４は、すくったスープの液面９に対して垂直、または、垂直から左右に８０度以内の傾斜角度を有する様に構成する。
Ｃ，上向きの突起３の右側直近の位置に、下向きの突起６を設ける。下向きの突起６の左の壁７は、スープの液面９に対して垂直、または、垂直から左右に８０度以内の傾斜角度を有する様に構成する。
【請求項２】
以下の、いずれかの特徴を有する、請求項１に記載のレンゲスプーン。
Ａ，上向きの突起３の右側の壁５と、下向きの突起６の左側の壁の、全部または一部を、ほぼ連続した壁、または、略一定の板厚を有する連続面とした。または、２つの壁の境界部分のズレや段差を、２０ｍｍ以内とした。
Ｂ，上向きの突起３の左側の壁４と、食物をすくう為の凹部１の、右側の壁２の、全部または一部を、ほぼ連続した壁、または、略一定の板厚を有する連続面とした。または、２つの壁の境界部分のズレや段差を、２０ｍｍ以内とした。
Ｃ，上向きの突起３の、左側の壁４と右側の壁５を、一体とした。尚、上向きの突起３は、直線や曲線のリブ形状にする構成や、円筒状、円柱状、鉤型形状、フック形状などとして、丼の縁への引っ掛けを可能にした構成を全て含み、リブ等の設置方向や形状は問わない。
Ｄ，下向きの突起６の、左側の壁７と右側の壁８を、一体とした。尚、下向きの突起６は、直線や曲線のリブ形状にする構成や、円筒状、円柱状、鉤型形状、フック形状などとして、丼の縁への引っ掛けを可能にした構成を全て含み、リブ等の設置方向や形状は問わない。
Ｅ，本体全体の肉厚を、略一定とした。尚、上向きの突起３と、下向きの突起６のいずれか、または両方、またはその近傍だけを、他の部位とは異なる肉厚にした構成も含む。
Ｆ，取っ手１０の右側端部、または、その近傍に、２ヶ所以内の吊り下げ用貫通孔を設けた。
Ｇ，食物をすくう為の凹部１から、下向きの突起６の範囲内に、貫通孔を設けない、または、貫通孔や本体吊り下げ用の突起・フック形状等を、１個以上設けた。
Ｈ，上から見た状態で、レンゲスプーンの長さ方向の中心線に対して、非対象形状とした。
Ｉ，上向きの突起３と、下向きの突起６の位置を逆にした。即ち、食べ物をすくう為の凹部１の右側直近に下向きの突起を設け、その右側直近の位置に、上向きの突起を設けた。
Ｊ，上向きの突起３の真下の位置、またはその近傍に、下向きの突起６を形成した。
Ｋ，取っ手１０の端部近傍の上側及び下側のどちらか一方または両方に、リブなどの突起を設け、突起３や６が外れた場合でも、本体がスープに沈む事を防止可能に構成した。
Ｌ，本体の材質を、樹脂・陶器・セラミック・ガラス・木・金属の、いずれかとした。
【発明の詳細な説明】
【技術分野】
【０００１】本発明は、主として中華料理を食べる際に使用する、レンゲスプーンに関する。
【背景技術】
【０００２】未使用時に、レンゲスプーンを裏返した状態で、丼の縁に引っ掛けられる構造のレンゲスプーンは市販されているが、表向きでも、裏向きでも、どちらでも引っ掛ける事が可能なレンゲスプーンは、存在しなかった。
【発明の開示】
【発明が解決しようとする課題】
【０００３】手で持ちやすい形状で、なおかつ、樹脂成形により大量生産が可能との制約条件の中で、表向きでも、裏向きでも、どちらでも丼などの縁に引っ掛けておけるレンゲスプーンが求められている。
【課題を解決するための手段】
【０００４】図１の状態において、食べ物をすくう為の凹部１の右側直近に、上向きの突起３を設け、その右側直近に、下向きの突起を設ける。
【発明の効果】
【０００５】本発明によれば、突起３を使って、レンゲスプーンを裏返した状態で丼などの縁に引っ掛けておく事が可能で、なおかつ、突起６を使い、表向きの状態でも丼などの縁に引っ掛ける事が可能となり、極めて利便性が高い。
また、本発明品のレンゲスプーンを、鉛筆を持つ様に右手で保持した場合、人差し指と中指が、上向きの突起３にからみ付く状態となり、親指が下向きの突起６の内側（上側）の凹部に嵌る為、手が滑る事も無く、極めて持ち易くなる。
【発明を実施するための最良の形態】
【０００６】図１において、レンゲスプーンを以下の様に構成する。
Ａ，食物をすくう為の凹部１の、右側直近の位置に、上向きの突起３を設ける。
Ｂ，上向きの突起３の左側の壁４は、すくったスープの液面９に対して垂直、または、垂直から左右に８０度以内の傾斜角度を有する様に構成する。
Ｃ，上向きの突起３の右側直近の位置に、下向きの突起６を設ける。下向きの突起６の左側の壁７は、スープの液面９に対して垂直、または、垂直から左右に８０度以内の傾斜角度を有する様に構成する。
Ｄ，レンゲスプーン全体の肉厚を、略一定とし、樹脂にて一体成形する。
【実施例】
【０００７】図１は、本発明品のレンゲスプーンであり、右手で取っ手１０を持ち、スープなどの液体をすくった状態を、手前側からみた側面図であり、９は、スープの液面を示す。
スープ等の食べ物をすくう為の凹部１の右側の壁２は、そのまま連続して上部に伸び、上向きの突起３の左側の壁４となり、突起３を形成している。
上向きの突起３の右側の壁５は、そのまま連続して下部に伸び、下向きの突起６の左側の壁７として、下向の突起６を形成している。
そして下向きの突起６の右側の壁８は、そのまま滑らかに、取っ手１０へと繋がっている。
以上の様に構成する事により、レンゲスプーンの上下に、自然に突起が形成され、表向きでも、裏向きでも、丼などの縁に引っ掛ける事ができる。【０００８】図２は、本発明品のレンゲスプーンを上から見た状態を表し、図１の上面図である。
本発明品を、略一定の肉厚で樹脂成形すると、下向の突起６の裏側、即ち上面には、上向きに開口した凹部が形成される。
この状態で、右手に本発明品を持って食べ物をすくう際、例えば鉛筆を持つ様に握ると、中指が壁２と壁７の間に収まり、親指が、下向の突起６の上側の凹部に収まる為、極めて自然にレンゲスプーンを保持する事が可能で、滑る事も無くなる。
１１は、取っ手１０の近傍に設けた、本発明品のレンゲスプーンを未使用時に吊っておく為の貫通孔であり、必要に応じて設ければ良い。【０００９】図３は、本発明品の斜視図である。壁２と壁４は、略同一面として滑らかに連続しており、また、下向の突起６の部分の上面側は、凹形状になっている事を示す。
【産業上の利用可能性】
【００１０】ラーメン等を食べる際、誤ってレンゲスプーンをスープの中に沈めてしまうと、取り出す事が難しく、また、取り出した後のレンゲスプーンは、油が付いて滑りやすくなる。
本発明品によれば、表向きでも裏向きでも、丼などの縁に引っ掛けておく事が可能で、万が一、油が付いて滑りやすくなった場合でも、上下の突起を利用して確実に保持する事ができる。
尚、生産する場合の金型は、単純な上下割り形状で製造可能な為、低コストで大量生産が可能である。従って、特に外食産業などでの使用に最適である。
また、手で握った際にしっくりと馴染み、少ない握力でも、滑らずに保持できる為、身障者や高齢者の方々の使用にも好適である。
【図面の簡単な説明】
【００１１】
【図１】本発明品を右手に持ち、スープを最大量すくった状態を、手前から見た側面図を表す。
【図２】本発明品を上から見た状態を示し、図１の上面図を表す。
【図３】本発明品の、斜視図を表す。
【符号の説明】
【００１２】  １、スープ等の食物をすくう為の、凹部
２、スープ等の食物をすくう為の凹部の、右側の壁
３、上向きの突起
４、上向きの突起の、左側（食物をすくう為の凹部側）の壁
５、上向きの突起の、右側（取っ手側）の壁
６、下向きの突起
７、下向きの突起の、左側（食物をすくう為の凹部側）の壁
８、下向きの突起の、右側（取っ手側）の壁
９、凹部に溜められたスープの、液面
１０、手で、レンゲスプーンを保持して食べる為の、取っ手
１１、取っ手部分に設けた、本発明品を吊り下げる為の貫通孔
【図１】
2009268878.tif 000003
【図２】
2009268878.tif 000004
【図３】
2009268878.tif 000005